(57)【要約】【課題】従来から知られている独楽遊びに競技性を付与することにより、興趣を増大させるとともに、単に独楽遊びとしてではなく個人又は団体競技として成立させるようにした独楽競技方法と用具を提供することを目的とする。【解決手段】独楽の通過孔として形成された孔部２０ａを有する独楽型Ａ２０を独楽型台１９上に立設するとともに独楽型Ａ２０と平行して複数種の用具を平面的に並べて配置し、通過孔として形成された孔部２０ａをくぐらせた独楽を回転させたまま用具上に着地させることにより得点を与えるようにした独楽競技方法とその用具を基本手段として提供する。【選択図】　　　図７
2004113404.tif 000002
【特許請求の範囲】
【請求項１】
独楽の通過孔を有する独楽型を立設するとともに該独楽型と平行して複数種の用具を平面的に並べて配置し、通過孔をくぐらせた独楽を回転させたまま用具上に着地させることにより得点を与えるようにしたことを特徴とする独楽競技方法。
【請求項２】
独楽型台の上に独楽の通過孔を有する独楽型を直立させ、独楽型台と所定長離反した位置に、独楽型と平行して複数種の用具を平面的に並べて配置し、独楽型のほぼ中央部に形成された円形の孔部内をくぐらせた独楽を回転させたまま用具上に着地させることにより得点を与えるようにしたことを特徴とする独楽競技方法。
【請求項３】
独楽型と平行して小七輪，小六輪，小五輪，小四輪，小三輪，小二輪，小一輪，凹板の８種類の用具を各々８個ずつ計６４個平面的に並べて配置した請求項１又は２に記載の独楽競技方法。
【請求項４】
前記独楽型に形成された独楽の通過孔よりも小さな通過孔を有する独楽型を別途に用意して上記通過孔に嵌め込むことにより、競技の難度を高めた請求項１，２又は３に記載の独楽競技方法。
【請求項５】
平面視が円形状に構成されて上面に円形の溝が掘削されたまわし台Ａでなる独楽競技の用具。
【請求項６】
側端に独楽が飛び出さないように円形状の囲いを形成したまわし台Ｂでなる独楽競技の用具。
【請求項７】
側端に独楽が飛び出さないように円形状の囲いを形成し、この囲いから中央部に向けて数センチの位置に２個目の囲いを形成したまわし台Ｃでなる独楽競技の用具。
【請求項８】
側端に独楽が飛び出さないように円形状の囲いを形成し、この囲いから中央部に向けて数センチの位置に２個目の囲いを形成し、更にこの囲いから中央部に向けて数センチの位置に３個目の囲いを形成したまわし台Ｄでなる独楽競技の用具。
【請求項９】
リング状の一輪でなる独楽競技の用具。
【請求項１０】
円形状に構成されているとともに円周に沿って小穴を３ヶ所設けた大三輪でなる独楽競技の用具。
【請求項１１】
中央部近傍に小穴が２ヶ所均等に形成された大二輪でなる独楽競技の用具。
【請求項１２】
中央部に小穴が１ヶ所形成された大一輪でなる独楽競技の用具。
【請求項１３】
中央部に小穴が１個形成され、この小穴の周囲に同様な小穴を６個形成した小七輪でなる独楽競技の用具。
【請求項１４】
円周に沿って小穴が６個均等に形成された小六輪でなる独楽競技の用具。
【請求項１５】
中央部に小穴が１個形成され、この小穴の周囲に同様な小穴を４個形成した小五輪でなる独楽競技の用具。
【請求項１６】
円周に沿って小穴が４個均等に形成された小四輪でなる独楽競技の用具。
【請求項１７】
円周に沿って小穴が３個均等に形成された小三輪でなる独楽競技の用具。
【請求項１８】
円周に沿って小穴が２個均等に形成された小二輪でなる独楽競技の用具。
【請求項１９】
中央部に小穴が１個形成された小一輪でなる独楽競技の用具。
【請求項２０】
中央部に小皿状のくぼみが１個形成された凹板でなる独楽競技の用具。
【請求項２１】
平面視が円形状に構成され、中央部には円筒状の穴が形成されているとともにこの穴の周囲に円筒状の小穴が複数個形成された収納用具Ａでなる独楽競技の用具。
【請求項２２】
平面視が円形状に構成され、中央部には小穴が正方形状に４個形成されているとともにこの小穴の周囲に同様な小穴を複数個形成した収納用具Ｂでなる独楽競技の用具。
【請求項２３】
円板状の台の円周に沿って円筒状の穴が２０個均等に形成されているとともに中央部に長方形の穴が１個形成され、この長方形の穴を囲む位置に円筒状の穴が４個正方形状に形成され、更に４個の穴と円周に沿って形成された穴との間に８個の穴を形成した独楽型台でなる独楽競技の用具。
【請求項２４】
略台形の角状板のほぼ中央部に独楽の通過孔となる円形の孔部が形成され、上下に支持棒が付設された独楽型Ａでなる独楽競技の用具。
【請求項２５】
円板の側端から中央部に向けて円形状の囲いが形成され、中央部に円形の孔部が形成された独楽型Ｂでなる独楽競技の用具。
【請求項２６】
独楽型Ｂよりも径長の短い円板の側端から中央部に向けて円形状の囲いが形成され、中央部に円形の孔部が形成された独楽型Ｃでなる請求項２５に記載の独楽競技の用具。
【請求項２７】
円板の側端から中央部に向けて円形状の囲いが形成され、この囲いの底辺から中央部に向けてくりぬき部を形成した独楽型Ｄでなる独楽競技の用具。
【請求項２８】
円板のほぼ中央部に独楽を正面から見た形に似た穴がくりぬかれて形成された独楽型枠でなる独楽競技の用具。
【発明の詳細な説明】
【０００１】
【発明の属する技術分野】
本発明は独楽遊びを改良した独楽競技方法及びその用具に関し、特定の用具を使用したことにより、独楽遊びを個人又は団体競技として成立させるとともに興趣を増大した競技方法と用具に関するものである。
【０００２】
【従来の技術】
独楽遊びは千数百年も前に中国から渡ってきたとされ、例えば博多ごまは日本書紀，太平記にも記載されていて、細い鉄の心棒を持って回った独楽をどこへでも移動させることができると書かれている。今から５０数年前には独楽遊びが子供たちの遊びの主流であったが、現在では衰退して昔遊びといわれるようになっているのが現状である。
【０００３】
【発明が解決しようとする課題】
本発明者が子供たちに独楽遊びの普及をはかったところ、子供たちは独楽が回ったらそれきりで遊びを終了してそれ以上遊ばない傾向が強く、例えば独楽を片手で「２個まわし」もしくは「３個まわし」をすることができるようになっても、それだけで満足して独楽遊びをやめてしまうのが通例である。特に従来の独楽遊びには競技性が少なく、興趣を増大させることが困難であることに原因があるものと考察される。
【０００４】
そこで本発明は上記に鑑みてなされたものであって、独楽遊びに競技性を付与することにより興趣を増大させるとともに、単に独楽遊びとしてではなく個人又は団体競技として成立させるようにした独楽競技方法と用具を提供することを目的としている。
【０００５】
【課題を解決するための手段】
本発明は上記目的を達成するために、独楽の通過孔を有する独楽型を立設するとともに該独楽型と平行して複数種の用具を平面的に並べて配置し、通過孔をくぐらせた独楽を回転させたまま用具上に着地させることにより得点を与えるようにした独楽競技方法とその用具を基本手段として提供する。
【０００６】
具体的には独楽型台の上に独楽の通過孔を有する独楽型を直立させ、独楽型台と所定長離反した位置に、独楽型と平行して複数種の用具を平面的に並べて配置し、独楽型のほぼ中央部に形成された円形の孔部内をくぐらせた独楽を回転させたまま用具上に着地させることにより得点を与えるようにしている。
【０００７】
独楽型と平行して小七輪，小六輪，小五輪，小四輪，小三輪，小二輪，小一輪，凹板の８種類の用具を各々８個ずつ計６４個平面的に並べて配置する。また、前記独楽型に形成された独楽の通過孔よりも小さな通過孔を有する独楽型を別途に用意して上記通過孔に嵌め込むことにより、競技の難度を高めている。
【０００８】
かかる独楽競技方法及びその用具によれば、競技に際して独楽型台の穴に独楽型Ａの支持棒を差し込んで直立させ、独楽型Ａと平行して小七輪，小六輪，小五輪，小四輪，小三輪，小二輪，小一輪，凹板の８種類の用具を各々８個ずつ計６４個並べて各用具を平面的に配置し、対戦するチームの各選手は独楽を１個ずつ持ち、独楽ひもを巻き付けて競技開始の準備をする。そして先攻チームの選手が独楽型台の側部に立ち、審判員の「用意」の合図で投げる構えをし、「はじめ」の合図で空中に独楽を回しながら投げて独楽型Ａに形成された円形の孔部内をくぐらせ、独楽が孔部内を無事通過してどれかの用具上に着地して、どれかの用具上に乗せるか小穴に入って回り続けた場合に得点が与えられる。独楽が独楽型Ａから遠距離に達するほど高得点となる。
【０００９】
また、独楽型Ｂの側端に形成された囲いを利用して該独楽型Ｂを独楽型Ａの孔部に嵌め込み、更には独楽型Ｃの側端に形成された囲いを利用して該独楽型Ｃを独楽型Ｂの孔部に嵌め込むことにより、競技者は独楽を独楽型Ａの孔部よりも小さく形成された独楽型Ｂ又は独楽型Ｃの孔部内にくぐらせなければならないので、競技の難度が高められて高度化したゲームを行うことができる。
【００１０】
【発明の実施の形態】
以下図面に基づいて本発明にかかる独楽競技方法及びその用具の実施形態を説明する。本発明では予め用意した各種の用具を用いて競技を行うことにより、単に独楽遊びとしてではなく、個人又は団体競技として成立させて興趣を増大した独楽競技方法と用具を提供することが最大の特徴となっている。
【００１１】
本発明で定義している独楽競技とは、定められた場所に台と用具を設置して、競技者が独楽にひもを定められた巻き方で正確に巻き付けて握り、台の周りを取り囲んだり、台及び用具に向かって審判の「用意」の合図で構えてから、「はじめ」の合図で台及び用具等に向けて独楽を投げ、独楽を回しながら台の上もしくは用具類の輪の中や上に入れたり乗せたりする方法でその技を競い、より多くの点数の獲得を目指す競技である。競技者が一人対一人で行う個人戦と、４人対４人で行う団体戦がある。
【００１２】
独楽競技における「技」とは、独楽が回り続ける以外に、用具を使用したり独楽に目的を持った独特の動きを与えて、独楽本来の回る性質を利用してその目的を達した場合の手段を「独楽競技における技」と言う。
【００１３】
図１（Ａ）〜（Ｘ）は本発明で用いた用具を示す平面図であり、各用具は独楽を除いて全て木製製品として作製されている。先ず各用具の名称を以下に列記すると、同図（Ａ）に示す１はまわし台Ａ、同図（Ｂ）に示す２はまわし台Ｂ、同図（Ｃ）に示す３はまわし台Ｃ、同図（Ｄ）に示す４はまわし台Ｄ、同図（Ｅ）に示す５は一輪、同図（Ｆ）に示す６は大三輪、同図（Ｇ）に示す７は大二輪、同図（Ｈ）に示す８は大一輪、同図（Ｉ）に示す９は小七輪、同図（Ｊ）に示す１０は小六輪、同図（Ｋ）に示す１１は小五輪、同図（Ｌ）に示す１２は小四輪、同図（Ｍ）に示す１３は小三輪、同図（Ｎ）に示す１４は小二輪、同図（Ｏ）に示す１５は小一輪、同図（Ｐ）に示す１６は凹板、同図（Ｑ）に示す１７は収納用具Ａ、同図（Ｒ）に示す１８は収納用具Ｂ、同図（Ｓ）に示す１９は独楽型台、同図（Ｔ）に示す２０は独楽型Ａ、同図（Ｕ）に示す２１は独楽型Ｂ、同図（Ｖ）に示す２２は独楽型Ｃ、同図（Ｗ）に示す２３は独楽型Ｄ、同図（Ｘ）に示す２４は独楽型枠である。
【００１４】
以下に各用具について個々に説明する。まわし台Ａ１は平面視が円形状に構成され、上面には円形の溝１ａが掘削されている。まわし台Ａ１の寸法例として、直径は６０ｃｍ，厚さは２．５ｃｍとし、溝１ａはまわし台Ａ１の外側から８ｃｍの所に深さ０．５ｃｍ，幅１ｃｍとして掘削されている。
【００１５】
まわし台Ｂ２の側端には独楽が飛び出さないように円形状の囲い２ａが形成されている。まわし台Ｂ２の寸法例として、直径は３０ｃｍ，厚さは２．５ｃｍとし、囲い２ａの高さは０．５ｃｍとする。
【００１６】
まわし台Ｃ３の側端には、図２（Ａ）（Ｂ）に示したように独楽が飛び出さないように円形状の囲い３ａが形成されており、この囲い３ａから中央部に向けて数センチの位置に２個目の囲い３ｂが形成されている。まわし台Ｃ３の寸法例として、直径は３０ｃｍ，厚さは２．５ｃｍとし、囲い３ａ，３ｂの高さは０．５ｃｍとする。
【００１７】
まわし台Ｄ４の側端には独楽が飛び出さないように円形状の囲い４ａが形成されており、この囲い４ａから中央部に向けて数センチの位置に２個目の囲い４ｂが形成されており、更に囲い４ｂから中央部に向けて数センチの位置に３個目の囲い４ｃが形成されている。まわし台Ｄ４の寸法例として、直径は３０ｃｍ，厚さは２．５ｃｍとし、囲い４ａ，４ｂ，４ｃの高さは０．５ｃｍとする。
【００１８】
一輪５は後述する収納用具Ａ１７の小穴に収納して使用する用具としてのリング状の一輪であり、このリング状の一輪５の直径は１２ｃｍ，厚さ１．５ｃｍとする。
【００１９】
大三輪６は円形状に構成されているとともに円周に沿って小穴６ａが３ヶ所設けられている。寸法例として大三輪６の直径は１２ｃｍ，厚さは１．５ｃｍ，小穴６ａの直径は４．５ｃｍとする。
【００２０】
大二輪７は中央部近傍に小穴７ａが２ヶ所均等に形成されている。寸法例として大二輪７の直径は１２ｃｍ，厚さは１．５ｃｍ，小穴７ａの直径は４．５ｃｍとする。
【００２１】
大一輪８は中央部に小穴８ａが１ヶ所形成されている。寸法例として大一輪８の直径は１２ｃｍ，厚さは１．５ｃｍ，小穴８ａの直径は４．５ｃｍとする。
【００２２】
小七輪９は中央部に小穴９ａが１個形成されており、この小穴９ａの周囲に同様な小穴９ｂが６個形成されている。寸法例として小七輪９の直径は１２ｃｍ，厚さは１．５ｃｍ，小穴９ａ，９ｂの直径は３ｃｍとし、小穴９ｂは小穴９ａを取り囲んで均等に形成されている。
【００２３】
小六輪１０は円周に沿って小穴１０ａが６個均等に形成されている。寸法例として小六輪１０の直径は１２ｃｍ，厚さは１．５ｃｍ，小穴１０ａの直径は３ｃｍとする。
【００２４】
小五輪１１は中央部に小穴１１ａが１個形成されており、この小穴１１ａの周囲に同様な小穴１１ｂが４個形成されている。寸法例として小五輪１１の直径は１２ｃｍ，厚さは１．５ｃｍ，小穴１１ａ，１１ｂの直径は３ｃｍとし、小穴１１ｂは小穴１１ａを取り囲んで均等に形成されている。
【００２５】
小四輪１２は円周に沿って小穴１２ａが４個均等に形成されている。寸法例として小四輪１２の直径は１２ｃｍ，厚さは１．５ｃｍ，小穴１２ａの直径は３ｃｍとする。
【００２６】
小三輪１３は円周に沿って小穴１３ａが３個均等に形成されている。寸法例として小三輪１３の直径は１２ｃｍ，厚さは１．５ｃｍ，小穴１３ａの直径は３ｃｍとする。
【００２７】
小二輪１４は円周に沿って小穴１４ａが２個均等に形成されている。寸法例として小二輪１４の直径は１２ｃｍ，厚さは１．５ｃｍ，小穴１４ａの直径は３ｃｍとする。
【００２８】
小一輪１５は中央部に小穴１５ａが１個形成されている。寸法例として小一輪１５の直径は１２ｃｍ，厚さは１．５ｃｍ，小穴１５ａの直径は３ｃｍとする。
【００２９】
凹板１６は図３（Ａ）（Ｂ）に示したように中央部に小皿状のくぼみ１６ａが１個形成されている。寸法例として凹板１６の直径は１２ｃｍ，厚さは１．５ｃｍ，くぼみ１６ａの深さは中央部付近では０．５ｃｍであり、外側に向かって浅くなるすり鉢状とする。
【００３０】
収納用具Ａ１７は平面視が円形状に構成され、図４（Ａ）（Ｂ）に示したように収納用具Ａ１７の中央部には円筒状の穴１７ａが形成されており、この穴１７ａの周囲に円筒状の小穴１７ｂが複数個形成されている。寸法例として収納用具Ａ１７の直径は６０ｃｍ，厚さは８．５ｃｍ，穴１７ａの直径は３０ｃｍ，深さ７．５ｃｍ，小穴１７ｂは収納用具Ａ１７の外側から１ｃｍの所に深さ６．５ｃｍ，直径１２．２ｃｍとして均等に計８個形成されている。
【００３１】
収納用具Ｂ１８は平面視が円形状に構成され、この収納用具Ｂ１８の中央部には小穴１８ａが正方形状に４個形成されており、この小穴１８ａの周囲にも同様な小穴１８ｂが複数個形成されている。寸法例として収納用具Ｂ１８の直径は６０ｃｍ，厚さは８ｃｍ，小穴１８ａ，１８ｂの直径は１２．２ｃｍ，深さ６．５ｃｍとし、小穴１８ｂは収納用具Ｂ１８の外側から１ｃｍの所に均等に計８個形成されている。
【００３２】
独楽型台１９は図５（Ａ）（Ｂ）に示したように円板状の台の円周に沿って円筒状の穴１９ａが２０個均等に形成されており、中央部には長方形の穴１９ｂが１個形成されている。この長方形の穴１９ｂを囲む位置に円筒状の穴１９ｃが４個正方形状に形成され、更に穴１９ａと穴１９ｃとの間に８個の穴１９ｄが形成されている。独楽型台１９の寸法例としては、台の直径は６０ｃｍ，厚さは８ｃｍ，穴１９ａの直径は６ｃｍ，深さ６．５ｃｍ，穴１９ｂは６×２．５ｃｍで深さ５ｃｍ，穴１９ｃは直径１２．２ｃｍ，深さ６．５ｃｍ，穴１９ｄは直径６ｃｍ，深さ６．５ｃｍとする。
【００３３】
独楽型Ａ２０は略台形の角状板のほぼ中央部に独楽の通過孔となる円形の孔部２０ａが形成されており、上下に支持棒２０ｂ，２０ｃが付設された形状となっている。寸法例として独楽型Ａ２０の高さは５２．５ｃｍ，厚さは２．５ｃｍ以内、最大部分の幅は４０ｃｍとする。
【００３４】
独楽型Ｂ２１は円板の側端から中央部に向けて円形状の囲い２１ａが形成されており、中央部に円形の孔部２１ｂが形成されている。独楽型Ｂ２１の寸法例として直径は３０ｃｍ，厚さは２．５ｃｍ，孔部２１ｂの直径は２１ｃｍとし、囲い２１ａは円板の側端から幅１ｃｍ，高さ０．５ｃｍに形成されている。
【００３５】
独楽型Ｃ２２は円板の側端から中央部に向けて円形状の囲い２２ａが形成されており、中央部に円形の孔部２２ｂが形成されている。独楽型Ｃ２２の寸法例として直径は２１ｃｍ，厚さは２．５ｃｍ，孔部２２ｂの直径は１２ｃｍとし、囲い２２ａは円板の側端から幅１ｃｍ，高さ０．５ｃｍとする。
【００３６】
独楽型Ｄ２３は円板の側端から中央部に向けて円形状の囲い２３ａが形成されており、囲い２３ａの底辺から中央部に向けてくりぬき部２３ｂが形成されている。独楽型Ｄ２３の寸法例として直径は１２ｃｍ，厚さは２．５ｃｍ，囲い２３ａは円板の側端から幅１ｃｍ，くりぬき部２３ｂの深さは０．５ｃｍとする。
【００３７】
独楽型枠２４は円板のほぼ中央部に独楽を正面から見た形に似た穴２４ａがくりぬかれて形成されている。穴２４ａは不使用時の独楽型Ａを収納可能とする形状でもある。そして、独楽型Ａの中には独楽型Ｂ，Ｃ，Ｄを収納することができる。寸法例として独楽型枠２４の直径は６０ｃｍ，厚さは２．５ｃｍとする。
【００３８】
図６（Ａ）（Ｂ）は使用する独楽３０の形状例を示している。独楽は通称博多ごまと呼称される形状のものを使用するが、ブリキごまやその他の独楽でも使用することができる。独楽ひもは綿製の３本の細紐を編んだものを使用する。
【００３９】
図８は上記した各用具を一体的に積層して収納する状態を示す説明図であり、独楽３０，小一輪１５，凹板１６を収納した独楽型台１９の上に、小七輪９，小六輪１０，小五輪１１，小四輪１２，小三輪１３，小二輪１４を収納した収納用具Ｂ１８を載置し、更にその上に一輪５，大三輪６，大二輪７，大一輪８及びまわし台Ｂ２，まわし台Ｃ３，まわし台Ｄ４を収納した収納用具Ａ１７を載置した後、その上に独楽型Ａ２０，独楽型Ｂ２１，独楽型Ｃ２２，独楽型Ｄ２３を収納した独楽型枠２４を収納し、その上にまわし台Ａ１を表裏反転させて被覆することにより、一つのセットとすることができる。
【００４０】
以下に上記各種用具を使用した独楽競技方法の実際例を説明する。本発明者は競技の名称として独楽抜き物語と命名したので、以下独楽抜き物語（１）（２）（３）として競技方法を説明する。
【００４１】
〔独楽抜き物語１〕
１チーム４人として２チームが対戦する。先ず図７に示したように独楽型台１９の穴１９ｂに独楽型Ａ２０の支持棒２０ｃを差し込んで直立させ、この独楽型台１９と所定長離反した位置に、独楽型Ａ２０と平行して小七輪９，小六輪１０，小五輪１１，小四輪１２，小三輪１３，小二輪１４，小一輪１５，凹板１６の８種類の用具を各々８個ずつ計６４個並べて各用具を平面的に配置する。尚、図面上では各用具が４個ずつ並べて配置されているが、実際は用具の数は配置図の２倍となる。独楽型台１９と小七輪９間の距離Ｒは約６０ｃｍとする。
【００４２】
先ず対戦するチームの先攻と後攻を決め、各選手はゼッケン番号札を付けてから右手又は左手に独楽３０を１個ずつ持って定められた巻き方で独楽ひもを巻き付けて、競技開始の準備をする。そして先攻チームの１番の選手が独楽型台１９の側部に立ち、審判員の「用意」の合図で投げる構えをし、「はじめ」の合図で空中に独楽３０を回しながら投げて独楽型Ａ２０のほぼ中央部に通過孔として形成された円形の孔部２０ａ内をくぐらせる。独楽３０の通過孔として形成された孔部２０ａ内を無事通過して小七輪９から凹板１６までの計６４個のそれぞれどれかの用具上に着地して、用具上に乗せるか用具に形成された小穴に入って回り続けた場合に得点が与えられる。独楽３０は着地してから最低限３秒間回り続ける必要がある。
【００４３】
得点は図７中に記入したように、小七輪９上に着地した場合は５点、以下小六輪１０から凹板１６に至るまで５点ずつ増えるように設定されている。従って独楽３０が独楽型Ａから遠距離に達するほど高得点となる。以下先攻チームの選手と後攻チームの選手が交互に競技を継続して、得点の合計が多いチームが勝利して競技を終了する。
【００４４】
〔独楽抜き物語２〕
前記図７に示したように独楽型台１９の穴１９ｂに独楽型Ａ２０の支持棒２０ｃを差し込んで直立させ、更に独楽型Ｂ２１の側端に形成された円形状の囲い２１ａを利用して該独楽型Ｂ２１を独楽型Ａ２０の通過孔として形成された孔部２０ａに嵌め込み、前記と同様に独楽型台１９と所定長離反した位置に、独楽型Ａ２０と平行して小七輪９，小六輪１０，小五輪１１，小四輪１２，小三輪１３，小二輪１４，小一輪１５，凹板１６の８種類の用具を各々８個ずつ計６４個並べて配置し、以下独楽抜き物語１と同様にして競技を行う。
【００４５】
従って競技者は独楽３０を独楽型Ａ２０の通過孔として形成された孔部２０ａよりも小さく形成された独楽型Ｂ２１の孔部２１ｂ内をくぐらせなければならないので、競技の難度が高められて高度化したゲームが行われる。
【００４６】
〔独楽抜き物語３〕
前記図７に示したように、独楽型台１９の穴１９ｂに独楽型Ａ２０の支持棒２０ｃを差し込んで直立させ、独楽型Ｂ２１の側端に形成された円形状の囲い２１ａを利用して該独楽型Ｂ２１を独楽型Ａ２０の通過孔として形成された孔部２０ａに嵌め込み、更に独楽型Ｃ２２の側端に形成された円形状の囲い２２ａを利用して該独楽型Ｃ２２を独楽型Ｂ２１の孔部２１ｂに嵌め込む。そして前記と同様に独楽型台１９と所定長離反した位置に、独楽型Ａ２０と平行して小七輪９，小六輪１０，小五輪１１，小四輪１２，小三輪１３，小二輪１４，小一輪１５，凹板１６の８種類の用具を各々８個ずつ計６４個並べて配置し、以下独楽抜き物語１，２と同様にして競技を行う。
【００４７】
競技者は独楽３０を独楽型Ｂ２１の孔部２１ｂよりも小さく形成された独楽型Ｃ２２の孔部２２ｂ内をくぐらせなければならないので、独楽抜き物語２よりも更に競技の難度が高められてゲームがより一層高度化される。尚、独楽型Ｄ２３は独楽型Ｃ２２の孔部２２ｂに嵌め込んで保管するために使用する。
【００４８】
【発明の効果】
以上詳細に説明したように、本発明によれば競技に際して独楽型台の穴に独楽型の支持棒を差し込んで直立させ、独楽型と平行して各種の用具を平面的に配置してから選手が独楽型台の側部に立って空中に独楽を回しながら投げて独楽型に形成された円形の孔部内をくぐらせて、独楽がどれかの用具上に着地して乗るか小穴に入って回り続けた場合に得点が与えられるという競技形態を取ることができるので、従来から知られているような単なる独楽遊びとしてではなく、個人又は団体競技として成立させることが可能となるので、興趣を増大して独楽競技として広く普及することができる。
【００４９】
また、独楽型に孔部が小さく形成された他の独楽型を嵌め込むことにより、競技者は独楽を小さく形成された独楽型の孔部内にくぐらせなければならないので、競技の難度が高められて高度化したゲームを行うことができる。
【００５０】
従って本発明によれば、従来から知られている独楽遊びに競技性を付与したことにより、個人又は団体競技として成立させて興趣を増大させるとともに、独楽競技の普及をはかることができる独楽競技方法と用具を提供する。
【図面の簡単な説明】
【図１】本発明で用いた各種用具の形状例を示す平面図。
【図２】まわし台Ｃの（Ａ）側面図及び（Ｂ）側断面図。
【図３】凹板の（Ａ）側面図及び（Ｂ）側断面図。
【図４】収納用具Ａの（Ａ）側面図及び（Ｂ）側断面図。
【図５】本発明で用いた独楽型台の（Ａ）側面図及び（Ｂ）側断面図。
【図６】本発明で用いる独楽の（Ａ）側面図及び（Ｂ）平面図。
【図７】競技時の用具の配置例を示す要部平面図。
【図８】本発明に係る各用具を一体的に積層して収納する状態を示す説明図。
【符号の説明】
１…まわし台Ａ
２…まわし台Ｂ
３…まわし台Ｃ
４…まわし台Ｄ
５…一輪
６…大三輪
７…大二輪
８…大一輪
９…小七輪
１０…小六輪
１１…小五輪
１２…小四輪
１３…小三輪
１４…小二輪
１５…小一輪
１６…凹板
１７…収納用具Ａ
１８…収納用具Ｂ
１９…独楽型台
２０…独楽型Ａ
２１…独楽型Ｂ
２２…独楽型Ｃ
２３…独楽型Ｄ
２４…独楽型枠
３０…独楽
整理番号　Ｐ３４９６
【図１】
2004113404.tif 000003
【図２】
2004113404.tif 000004
【図３】
2004113404.tif 000005
【図４】
2004113404.tif 000006
【図５】
2004113404.tif 000007
【図６】
2004113404.tif 000008
【図７】
2004113404.tif 000009
【図８】
2004113404.tif 000010